(57)【特許請求の範囲】
【請求項１】
時刻情報を計時する計時手段と、
この計時手段により計時されている時刻情報と、この計時手段の計時基準の種類とを対応付けて記憶する第１の記憶手段と、
この第１の記憶手段に記憶されている時刻情報を表示する表示手段と、
計時基準の種類と計時精度とを対応付けて複数記憶する第２の記憶手段と、
外部より送信されたデータを受信する受信手段と、
この受信手段により受信されたデータに基づいて、時刻情報とこの時刻情報の計時基準の種類とを検出する検出手段と、
この検出手段で検出された計時基準の種類の計時精度、及び、前記第１の記憶手段に記憶されている計時基準の種類の計時精度を、前記第２の記憶手段に記憶された内容に基づいて判定する判定手段と、
この判定手段により判定された計時精度に基づいて、前記第１の記憶手段の記憶内容を制御する制御手段とを備えたことを特徴とする時計機能付電子機器。
【請求項２】
前記制御手段は、前記判定手段によって、前記検出された計時基準の種類の計時精度が、前記第１の記憶手段に記憶されている計時基準の種類の計時精度より優れていると判定された場合、前記検出された時刻情報を前記第１の記憶手段に記憶されている時刻情報に上書きする上書手段を含むことを特徴とする請求項１に記載の時計機能付電子機器。
【請求項３】
前記判定手段によって、前記検出された計時基準の種類の計時精度が、前記第１の記憶手段に記憶されている計時基準の種類の計時精度より劣っていると判定された場合、前記検出された時刻情報を前記第１の記憶手段に記憶されている時刻情報に上書きするか否かの指示を促す表示を行う指示表示手段と、この指示表示手段の表示内容に従い上書きの指示を検出する指示検出手段とを更に備え、前記制御手段は、前記指示検出手段により上書き指示を検出すると、前記検出された時刻情報を前記第１の記憶手段に記憶されている時刻情報に上書きする上書手段を含むことを特徴とする請求項１に記載の時計機能付電子機器。
【請求項４】
前記上書手段により上書きされた時刻情報と対応付けて、この時刻情報の計時基準の種類を記憶する第３の記憶手段を更に備えることを特徴とする請求項２または３に記載の時計機能付電子機器。
【請求項５】
前記受信手段は、外部より赤外線で送信されたデータを受信することを特徴とする請求項１乃至４の何れかに記載の時計機能付電子機器。
【請求項６】
時差情報を記憶する第４の記憶手段と、この第４の記憶手段に記憶された時差情報を加味して前記第１の記憶手段に記憶される時刻情報を補正する補正手段とを更に備えたことを特徴とする請求項１乃至５の何れかに記載の時計機能付電子機器。
【請求項７】
前記上書手段により上書きされる前の時刻情報と上書きされた後の時刻情報との差を記憶する第５の記憶手段と、時刻情報の表示切替を指示する指示手段と、この指示手段により時刻情報の表示切替が指示されると、前記第５の記憶手段に記憶される差に基づいて時刻情報の表示を切り替える切替手段とを更に備えたことを特徴とする請求項２または３に記載の時計機能付電子機器。
【請求項８】
前記受信手段に対しデータの受信を所定時間間隔で複数回行わせる受信制御手段、この受信制御手段によって所定時間間隔で複数回受信されたデータに基づいて前記計時手段に含まれるクロックスピードを調整する調整手段とを更に備えたことを特徴とする請求項１乃至７の何れかに記載の時計機能付電子機器。
【請求項９】
前記計時基準の種類と対応付けて表示すべき内容を記憶する第６の記憶手段と、時刻情報と対応付けて記憶されている計時基準の種類を判別して、前記第６の記憶手段より表示すべき内容を判別し前記表示手段に表示するように制御する表示制御手段とを更に備えたことを特徴とする請求項１乃至８の何れかに記載の時計機能付電子機器。
【請求項１０】
腕に装着して好適な形状を模すことを特徴とする請求項１乃至９の何れかに記載の時計機能付電子機器。
【請求項１１】
時刻情報を計時する計時ステップと、
計時ステップにより計時されている時刻情報と、この計時ステップの計時基準の種類とを対応付けて記憶させる第１の記憶ステップと、
第１の記憶ステップにて記憶された時刻情報を表示する表示ステップと、
外部より送信されたデータを受信する受信ステップと、
受信ステップにより受信されたデータに基づいて、時刻情報とこの時刻情報の計時基準の種類とを検出する検出ステップと、
検出ステップにて検出された計時基準の種類の計時精度、及び、第１の記憶ステップにて記憶された計時基準の種類の計時精度を、予め設定された計時基準の種類とその計時基準の計時精度とに基づいて判定する判定ステップと、
判定ステップにより判定された計時精度に基づいて、前記第１の記憶ステップにて記憶された記憶内容を補正する補正ステップとからなることを特徴とする時刻情報補正方法。
【発明の詳細な説明】
【０００１】
【発明の属する技術分野】
本発明は、受信したデータに基づき時刻情報を書き換える時計機能を備えた時計機能付電子機器、時刻情報補正方法に関する。
【０００２】
【従来の技術】
現在、無線電波通信や赤外線通信による時刻情報補正方法が提案されている。このうち、赤外線通信による時刻情報補正方法において送信される時刻データフォーマットは、年、月、日、時、分等の時刻情報の他に、「参照している計時基準の有／無」及び「その計時基準の種類」が追加されている。この点においてこの提案は、従来より知られている電波受信における標準時データやＧＰＳにおける時刻データとは異なっている。ここで、「計時基準の種類」とは、当該時刻情報が、電波、ＧＰＳ、原子時計のいずれを基準としたものであるかを示す情報である。また、時刻情報は、電波、ＧＰＳ、原子時計のいずれを基準としているかにより計時精度が若干異なることから、「計時基準の種類」は当該時刻情報の計時精度を示す情報でもある。
【０００３】
【発明が解決しようとする課題】
しかしながら、従来の時計機能付電子機器に設けられている時刻補正機能にあっては、時刻データの計時精度については、受信したものか、自己（自機）のものかを考慮することなく、受信した時刻情報に基づいて強制的に補正してしまう。このため、自己の時刻データの計時精度が補正の必要性がないのにも拘わらず補正されたり、逆に計時精度の低いものに補正される場合が生じ、これにより時計機能付電子機器の計時精度が却って低下してしまうことが懸念される。
【０００４】
本発明は、このような課題に鑑みてなされたものであり、より精度を高めつつ時刻情報を補正することのできる時計機能付電子機器、及び時刻情報補正方法を提供することを目的とするものである。
【０００５】
【課題を解決するための手段】
前記課題を解決するために請求項１記載の発明にかかる時計機能付電子機器にあっては、時刻情報を計時する計時手段と、この計時手段により計時されている時刻情報と、この計時手段の計時基準の種類とを対応付けて記憶する第１の記憶手段と、この第１の記憶手段に記憶されている時刻情報を表示する表示手段と、計時基準の種類と計時精度とを対応付けて複数記憶する第２の記憶手段と、外部より送信されたデータを受信する受信手段と、この受信手段により受信されたデータに基づいて、時刻情報とこの時刻情報の計時基準の種類とを検出する検出手段と、この検出手段で検出された計時基準の種類の計時精度、及び、前記第１の記憶手段に記憶されている計時基準の種類の計時精度を、前記第２の記憶手段に記憶された内容に基づいて判定する判定手段と、この判定手段により判定された計時精度に基づいて、前記第１の記憶手段の記憶内容を制御する制御手段とを備える。
【０００６】
つまり、データを受信した際には、当該データの時計基準の種類の時計精度と、当該時計機能付電子機器（自機）に記憶されている時計基準の種類の時計精度を判定してから、この記憶内容を制御する。
【０００７】
また、請求項２記載の発明にかかる時計機能付電子機器にあっては、前記制御手段は、前記判定手段によって、前記検出された計時基準の種類の計時精度が、前記第１の記憶手段に記憶されている計時基準の種類の計時精度より優れていると判定された場合、前記検出された時刻情報を前記第１の記憶手段に記憶されている時刻情報に上書きする上書手段を含む。したがって、時計手段により計時された時刻情報を記憶する第１の記憶手段の記憶情報は、自機よりも精度が高い時刻情報のデータが受信された場合にのみ、上書きにより修正される。
【０００８】
また、請求項３記載の発明にかかる時計機能付電子機器にあっては、前記判定手段によって、前記検出された計時基準の種類の計時精度が、前記第１の記憶手段に記憶されている計時基準の種類の計時精度より劣っていると判定された場合、前記検出された時刻情報を前記第１の記憶手段に記憶されている時刻情報に上書きするか否かの指示を促す表示を行う指示表示手段と、この指示表示手段の表示内容に従い上書きの指示を検出する指示検出手段とを更に備え、前記制御手段は、前記指示検出手段により上書き指示を検出すると、前記検出された時刻情報を前記第１の記憶手段に記憶されている時刻情報に上書きする上書手段を含む。よって、第１の記憶手段に記憶されている時刻情報を受信したデータの時刻情報に書き換えるか否かは、ユーザの意思に委ねられる。
【０００９】
また、請求項４記載の発明にかかる時計機能付電子機器にあっては、前記上書手段により上書きされた時刻情報と対応付けて、この時刻情報の計時基準の種類を記憶する第３の記憶手段を更に備える。
【００１０】
また、請求項５記載の発明にかかる時計機能付電子機器にあっては、前記受信手段は、外部より赤外線で送信されたデータを受信する。
【００１１】
また、請求項６記載の発明にかかる時計機能付電子機器にあっては、時差情報を記憶する第４の記憶手段と、この第４の記憶手段に記憶された時差情報を加味して前記第１の記憶手段に記憶される時刻情報を補正する補正手段とを更に備える。
【００１２】
したがって、第１の記憶手段に記憶されている時刻情報に対し、自機より精度が高い時刻情報のデータが受信された際に、該精度が高い時刻情報を上書きするのみならず、さらに時差情報を加味して補正される。
【００１３】
また、請求項７記載の発明にかかる時計機能付電子機器にあっては、前記上書手段により上書きされる前の時刻情報と上書きされた後の時刻情報との差を記憶する第５の記憶手段と、時刻情報の表示切替を指示する指示手段と、この指示手段により時刻情報の表示切替が指示されると、前記第５の記憶手段に記憶される差に基づいて時刻情報の表示を切り替える切替手段とを更に備える。
【００１４】
したがって、指示手段により時刻情報の表示切替を指示すると、上書きされる前の時刻情報と上書きされた後の時刻情報との差に基づいて、時刻情報が切り替えられる。
【００１５】
また、請求項８記載の発明にかかる時計機能付電子機器にあっては、前記受信手段に対しデータの受信を所定時間間隔で複数回行わせる受信制御手段、この受信制御手段によって所定時間間隔で複数回受信されたデータに基づいて前記計時手段に含まれるクロックスピードを調整する調整手段とを更に備える。
したがって、時計機能付電子機器が有する時計手段のクロックスピードが調整されることにより、自機の計時動作自体がより正確なものとなる。
【００１６】
また、請求項９記載の発明にかかる時計機能付電子機器にあっては、前記計時基準の種類と対応付けて表示すべき内容を記憶する第６の記憶手段と、時刻情報と対応付けて記憶されている計時基準の種類を判別して、前記第６の記憶手段より表示すべき内容を判別し前記表示手段に表示するように制御する表示制御手段とを更に備える。
【００１７】
また、請求項１０記載の発明にかかる時計機能付電子機器にあっては、腕に装着して好適な形状を模している。
【００１８】
また、請求項１１記載の発明にかかる時刻情報補正方法にあっては、時刻情報を計時する計時ステップと、計時ステップにより計時されている時刻情報と、この計時ステップの計時基準の種類とを対応付けて記憶させる第１の記憶ステップと、第１の記憶ステップにて記憶された時刻情報を表示する表示ステップと、外部より送信されたデータを受信する受信ステップと、受信ステップにより受信されたデータに基づいて、時刻情報とこの時刻情報の計時基準の種類とを検出する検出ステップと、検出ステップにて検出された計時基準の種類の計時精度、及び、第１の記憶ステップにて記憶された計時基準の種類の計時精度を、予め設定された計時基準の種類とその計時基準の計時精度とに基づいて判定する判定ステップと、判定ステップにより判定された計時精度に基づいて、前記第１の記憶ステップにて記憶された記憶内容を補正する補正ステップとからなる。したがって、コンピュータに各ステップの処理を実行させることにより、請求項１に記載する発明と同様の効果を得ることが可能となる。
【００１９】
【発明の実施の形態】
（第１の実施の形態）
以下、本発明の第１の実施の形態を図に従って説明する。この実施の形態は、本発明を腕時計に適用したものであり、図１に示すように、腕時計１は、時計本体２とこの時計本体２の両端部に係止されたバンド３，３とで構成されている。時計本体２の表面部には、ＬＣＤ（液晶表示器  liquid crystal display）４を有する表示部５が設けられており、両側面部には、赤外線送受信部６と複数のキー７とが設けられている。
【００２０】
図２は、時計本体２の内部に配置されている回路の構成を示すブロック図である。この回路には、ＣＰＵ８が設けられているとともに、ＲＯＭ９、ＲＡＭ１０、及びＧＰＳモジュール１１がそれぞれバス１２を介して接続されている。ＣＰＵ８は、各部を制御するとともに所定周波数のクロックを発生し、このクロックに基づき時刻データを生成する計時手段としても機能するものである。またＣＰＵ８は、上記クロックを発生させる発振器８１のクロックスピードを調整するＰＬＬ（フェイズロックループ  phase-locked loop）周波数シンセサイザー８２を備えている。ＲＯＭ９は、ＣＰＵ８が動作するためのシステムプログラム等を記憶しているとともに、後述するテーブルを記憶しており、ＲＡＭ１０は、ワーク用として使用されるとともに後述する記憶領域を有している。
【００２１】
また、バス１２には、ドライバ１３、ＵＡＲＴ（ユニバーサル非同期型レシーバートランスミッター  universal asynchronous receiver transmitter）１４及びスイッチ１５が接続されている。ドライバ１３は、前記ＬＣＤ４を駆動するものである。ＵＡＲＴ１４には、変復調回路１６を介してＩｒ（赤外線  Infrared radiation）データ送受信モジュール１７が接続されており、Ｉｒデータ送受信モジュール１７は前記赤外線送受信部６を有している。また、スイッチ１５は前記キー７の操作に応じた操作情報を生成するものである。
【００２２】
ＲＯＭ９には、システムプログラム等とともに図３に示すテーブル９１が記憶されている。このテーブル９１には、基準記憶エリア９２とランク記憶エリア６３とが設けられている。基準エリア９２には、時刻データを生成する時計の種別を示す基準データ（計時基準）「原子時計」「ＧＰＳ」「電波時計」「内蔵クロック」が記憶されており、ランクエリア６３には各基準データの精度（計時精度）を示すランク「Ａ」「Ｂ」「Ｃ」「Ｄ」が各基準データに対応して記憶されている。なお、基準データの精度はＡ（原子時計）、Ｂ（ＧＰＳ）、Ｃ（電波時計）、Ｄ（内蔵クロック）の順序であり、Ａ（原子時計）が最も精度が高く正確である。
【００２３】
また、ＲＡＭ１０の一部には、図４に示すように、第１記憶エリア１０１〜第８記憶エリア１０８が設けられている。第１記憶エリア１０１には、ＣＰＵ８が生成した時刻データが格納される。第２記憶エリア１０２には、この時刻データを生成するに際して用いられる基準時計の種別を示すデータ（基準データ；原子時計、ＧＰＳ（衛星航法システム  Global Positioning System）、電波時計、内蔵クロック）が格納される。第３記憶エリア１０３には、受信した時刻データと第１記憶エリア１０１に格納されている自分の時刻データの差が格納される。
【００２４】
第４記憶エリア１０４には、１回目に受信した時刻データが格納され、第５記憶エリア１０５には、２回目に受信した時刻データが格納される。第６記憶エリア１０６には、１回目に受信した時刻データと２回目に受信した時刻データとに基づき算出された１日当たりの時刻補正値が格納される。第７記憶エリア１０７には、ＣＰＵ８が生成した時刻データに対応する地域のワールドタイムのタイムゾーンを示すデータが格納され、第８記憶エリア１０８には、ＣＰＵ８が生成した時刻データに対応する地域におけるサマータイムを示すデータ（サマータイム設定のＯＮ／ＯＦＦ情報）が格納される。
【００２５】
そして、第１記憶エリア１０１に格納されている時刻データに基づき、ＣＰＵ８がドライバ１３を駆動することにより、図１に示すように、ＬＣＤ４の下部側に現在時刻４ａが表示される。
【００２６】
図５は、Ｉｒデータ送受信モジュール１７によって受信される時刻データＴＤのフォーマットを示すものである。このデータフォーマットは、送受信地域の現在日時、及び現在時刻である「年」、「月」、「日」、「時」、「分」、「秒」、「１／１０００秒」、その地域の「サマータイム」「時差（標準時差）」の他に、「参照している基準時計（計時基準）の有／無」及び「その基準時計（計時基準）の種類」が追加されている。「参照している基準時計の有／無」とは、この時刻データＴＤを生成するに際し参照している基準時計があるか否かを示す情報であり、「その基準時計の種類」とは、当該時刻データＴＤが、電波、ＧＰＳ、原子時計、内蔵クロックのいずれを基準としたものであるかを示す情報である。また、この図５に示したフォーマットからなるデータは、赤外線通信により各地に設けられた送信基地局（赤外線データ通信用デバイス）あるいは他の腕時計１から送信されてくるものである。
【００２７】
次に、以上の構成にかかる本実施の形態の動作をフローチャートに従って説明する。ＣＰＵ８は、プログラムに基づき図９の統合フローチャートに示す処理を実行する。すなわち、ＣＰＵ８は先ず、ＰＣ（パソコン  Personal Computer）、ＰＤＡ（携帯情報端末  Personal Digital Assistants）、携帯電話、図示せず）等、赤外線通信機能を備えた電子機器より赤外線（無線）により時刻データＴＤを受信する処理を実行する（ステップＳ１１）。つまり、最寄りの基地局（赤外線データ通信装置）や他の腕時計１から時刻データＴＤが送信されてくると、Ｉｒデータ送受信モジュール１７を動作させてこれを受信し、変復調回路１６を動作させて復調させた後、ＵＡＲＴ１４を動作させてデータを変換して取り込む。
引き続き、後述する受信（３）処理（ステップＳ１２）、受信（１）処理（ステップＳ１３）、受信（２）処理（ステップＳ１４）を順次実行する。
受信（３）処理（ステップＳ１２）においては、ＣＰＵ８は図８（ａ）に示すフローチャートに従って動作し、前記受信した時刻データＴＤと第１記憶エリア１０１に格納されている自分の時刻データの差を算出し、この算出した時刻差を第３記憶エリア１０３に格納する（ステップＳＣ１）。
【００２８】
また、受信（１）処理においては、ＣＰＵ８は図６に示すフローチャートに従って動作し、前記時刻差が所定値以上であるか、所定未満であるかを判別する（ステップＳＡ１）。前記時刻差が所定値以上であった場合には、ＬＣＤ４を駆動させて指示表示を行う（ステップＳＡ３）。この指示表示に際しては、前記ステップＳ１１で受信した時刻データＴＤ内の「その基準時計の種類」に対応する基準データを、図３に示したテーブル９１の基準記憶エリア９２から読み出して表示する。したがって、受信した時刻データＴＤ内の「その基準時計の種類」が「電波時計」であったとすると、図１に示したように、ＬＣＤ４には「電波時計」からなる基準データ表示４ｂがなされることとなる。
【００２９】
しかる後に、キー７にて所定の操作を行うセット操作がなされたか否かを判別する（ステップＳＡ４）。セット操作がなされた場合には、第１記憶エリア１０１に記憶されている自分の時刻データに受信した時刻データを上書きする（ステップＳＡ５）。しかし、セット操作がなされない場合には、上書きを行うことなくこのフローに従った処理を終了する。したがって、ユーザは基準データ表示４ｂを視認してから、セット操作を行うか否かを決定すればよく、ユーザの意思に反した上書きが未然に防止される。
【００３０】
他方、ステップＳＡ１での判別の結果、送られてきた時刻データと自分の時刻データとの差が所定未満であった場合には、送られてきた時刻データは精度が自分の時計より精度が悪いか否かを判別する（ステップＳＡ２）。すなわち、送られてきた時刻データＴＤには、当該時刻データＴＤが、電波、ＧＰＳ、原子時計、（送信元の）内蔵クロックのいずれであるかを示す「その基準時計の種類」が含まれており、第２記憶エリア１０２には自分の時計が使用している基準時計の種類が格納されている。さらに、図３のテーブル９１には、各基準時計に対応して精度を示すランクが格納されている。そこで、テーブル９１から、時刻データＴＤの基準時計に対応するランクと、自分の時計が使用している基準時計のランクとを読み出し、両ランクを比較することによって、ステップＳＡ２の判別を行う。
【００３１】
このステップＳＡ２での判別の結果、送られてきた時刻データＴＤの精度が自分の時計の精度よりも悪い場合には、前述したステップＳＡ３及びステップＳＡ４の処理を行う。しかし、これとは逆に、送られてきた時刻データＴＤの精度が自分の時計の精度よりも良い場合には、第１記憶エリア１０１に記憶されている自分の時刻データに受信した時刻データを上書きする（ステップＳＡ５）。
【００３２】
したがって、この実施の形態においては、送られてきた時刻データＴＤと自分の時刻データとの差が所定値未満であって、且つ、送られてきた時刻データＴＤの精度が自分の時計の精度よりも良い場合にのみ、自動的に第１記憶エリア１０１の時刻データが送られてきた時刻データに書き換えられる。
【００３３】
また、ＣＰＵ８は図７に示すフローチャートに従って動作し、前記受信（２）処理（ステップＳ１４）を実行する。すなわち、前記受信された時刻データＴＤに含まれる、「サマータイム」及び「時差」のデータより、受信した時刻データＴＤの「年」、「月」、「日」、「時」、「分」、「秒」、「１／１０００秒」、を一度標準時刻（ＧＭＴ）に補正する。そして、この標準時刻を、第７記憶エリア１０７、及び第８記憶エリア１０８にそれぞれ格納されているデータに基づいた時刻データに変換し、第１記憶エリア１０１に格納されている時刻データをこの変換した時刻データに書き換える（ステップＳＢ１）。
【００３５】
そして、キー７に対する前記セット操作とは異なるＵＮＤＯ操作により、時刻セットＵＮＤＯが指示されると、ＣＰＵ８は図８（ｂ）に示すフローチャートに従って動作し、第１記憶エリア１０１に格納されている自分の時刻データから、第３記憶エリア１０３に格納されている差の値を減じて、第１記憶エリア１０１に格納されている自分の時刻データを更新する（ステップＳＤ１）。したがって、前述のステップＳＡ６での処理により、自分の時刻データが受信した時刻データに書き換えられた場合であっても、時刻セットＵＮＤＯ操作を行えば、任意に書き換え前の時刻データに戻すことができる。
【００３９】
また、ＣＰＵ８は前述した図６のステップＳＡ６で時刻データの上書きを行った場合には、図１０に示すフローチャートに従って動作し、時刻データＴＤの受信を行う（ステップＳＨ１）。しかる後に、第７記憶エリア１０７に格納されているワールドタイムのタイムゾーンを、受信した時刻データＴＤの時差に応じたタイムゾーンに変更し、ワールドタイム時刻をこの変更したタイムゾーンに合わせる（ステップＳＨ２）。さらに、第８記憶エリア１０８に格納されているワールドタイムのサマータイムを、受信した時刻データＴＤのサマータイムに変更し、ワールドタイム時刻をこの変更したサマータイムに合わせる（ステップＳＨ３）。したがって、受信した時刻データで第１記憶エリア１０１の上書きを行った場合には、ワールドタイムのタイムゾーンやワールドタイムのサマータイムも変更される。
【００４０】
また、ＣＰＵ８は図１１に示すフローチャートに従って動作し送信処理を実行する。すなわち、送信する前に参照している基準時計（原子時計、ＧＰＳ、電波時計）と時刻合わせを行い（ステップＳＩ１）、しかる後にこの時刻合わせを行った時刻データＴＤを送信する（ステップＳＩ２）。したがって、この時刻合わせを行った時刻データＴＤが、ＣＰＵ８、ＵＡＲＴ１４、変復調回路１６及びＩｒデータ送受信モジュール１７を介して外部に送信されることとなる。
【００４１】
（第２の実施の形態）
【００４２】
次に、本発明の第２の実施の形態を図に従って説明する。この実施の形態も、本発明を腕時計に適用したものであり、図１２に示すように、腕時計２０１は、時計本体２０２とこの時計本体２０２の両端部に係止されたバンド２０３，２０３とで構成されている。時計本体２０２の表面部には、ＬＣＤ２０４を有する表示部２０５が設けられており、両側面部には、赤外線送受信部２０６と複数のキー２０７ａ〜２０７ｄが設けられている。
【００４３】
図１３は、時計本体２０２の内部に配置されている回路の構成を示すブロック図である。この回路には、ＣＰＵ２０８が設けられているとともに、ＲＯＭ２０９、ＲＡＭ２１０、ＧＰＳモジュール２３１、及びインターフェイス（IF）２３８がそれぞれバス２３２を介して接続されている。ＣＰＵ２０８は、各部を制御するとともに所定周波数のクロックを発生し、このクロックに基づき時刻データを生成する計時手段としても機能するものである。またＣＰＵ２０８は、上記クロックを発生させる発振器８１のクロックスピードを調整するＰＬＬ周波数シンセサイザー８２を備えている。ＲＯＭ２０９は、ＣＰＵ２０８が動作するためのシステムプログラム等を記憶しているとともに、後述するテーブルを記憶しており、ＲＡＭ２１０は、ワーク用として使用されるとともに後述する記憶領域を有している。
【００４４】
また、バス２３２には、ドライバ２３３、ＵＡＲＴ（universal asynchronous receiver transmitter）２３４及びスイッチ２３５が接続されている。ドライバ２３３は、前記ＬＣＤ２０４を駆動するものである。ＵＡＲＴ２３４には、変復調回路２３６を介してＩｒデータ送受信モジュール２３７が接続されており、Ｉｒデータ送受信モジュール２３７は前記赤外線送受信部２０６を有している。また、スイッチ２３５は前記キー２０７ａ〜２０７ｄの操作に応じた操作情報を生成するものである。
【００４５】
ＲＯＭ２０９には、システムプログラム等とともに図１４に示すテーブル２９１が記憶されている。このテーブル２９１には、基準記憶エリア２９２とランク記憶エリア２９３とが設けられている。基準エリア２９２には、時刻データを生成する時計の種別を示す基準データ「原子時計」「ＧＰＳ」「電波時計」「年差時計」「内蔵クロック」「その他」が記憶されており、ランクエリア６３には各基準データの精度を示すランク「Ａ」「Ｂ」「Ｃ」「Ｄ」「Ｅ」「Ｆ」が各基準データに対応して記憶されている。なお、基準データの精度はＡ（原子時計）、Ｂ（ＧＰＳ）、Ｃ（電波時計）、Ｄ（年差時計）、Ｅ（内蔵クロック）、Ｆ（その他）の順序であり、Ａ（原子時計）が最も精度が高く正確であり、ここにおいて年差時計とは、温度補償型水晶発振器（Ｔｅｍｐｅｒａｔｕｒｅ  Ｃｏｍｐｅｎｓａｔｅｄ  Ｃｒｙｓｔａｌ  Ｏｓｃｉｌｌａｔｏｒ）によって生成されたクロックによる計時基準を備えた時計を示すものである。
【００４６】
また、ＲＡＭ２１０の一部には、図１５に示すように、第１記憶エリア２１１〜第８記憶エリア２１８が設けられている。第１記憶エリア２１１には、ＣＰＵ２０８が生成した時刻データが格納される。
【００４７】
第２記憶エリア２１２には、図１６に示すように、この時刻データを生成するに際して用いられる基準時計の種類を示すデータ「原子時計」「ＧＰＳ」「電波時計」「年差時計」「内蔵クロック」「その他」に対応して、そのバイナリデータ、表示内容、及びフラグＦが格納されるテーブルを有している。また、表示内容は、基準時計の種類をＬＣＤ２０４に表示させる際の表示文字データであり、フラグＦは、“１”がセットされることにより現在基準としている基準時計の種類を示す。
【００４８】
したがって、現在の基準時計が「内蔵クロック」であると、図示のように「内蔵クロック」のフラグＦに“１”がセットされているとともに、例えば時刻設定モードにセットされると、図１２及び図１７（ａ）に示すように、「ＱＵＡＲＴＺ」の基準データ表示２０４ｂがなされる。また、現在の基準時計が「電子時計」であると対応するフラグＦに“１”がセットされるとともに、図１７（ｂ）に示すように、「ＡＴＭＩＣ」の基準データ表示２０４ｂがなされ、基準時計が「ＧＰＳ」であると対応するフラグＦに“１”がセットされるとともに、同図（ｃ）に示すように、「ＧＰＳ」の基準データ表示２０４ｂがなされる。
【００４９】
また、基準時計が「電波時計」であると対応するフラグＦに“１”がセットされるとともに、同図（ｄ）に示すように、「ＲＡＤＩＯ」の基準データ表示２０４ｂがなされ、基準時計が「年差時計」であると対応するフラグＦに“１”がセットされるとともに、同図（ｅ）に示すように、「ＴＣＸＯ」の基準データ表示２０４ｂがなされる。さらに、基準時計が「その他」であると対応するフラグＦに“１”がセットされるとともに、同図（ｆ）に示すように、「ＵＮＤＥＦＩＮ」の基準データ表示２０４ｂがなされる。
【００５０】
第３記憶エリア２１３には、図１８に示すように、受信した時刻データと第１記憶エリア２１１に格納されている自分の時刻データの差が、基準時計のバイナリデータとともに格納される。第４記憶エリア２１４には、１回目に受信した時刻データが基準時計のバイナリデータとともに格納され、第５記憶エリア２１５には、２回目に受信した時刻データが基準時計のバイナリデータとともに格納される。第６記憶エリア２１６には、１回目に受信した時刻データと２回目に受信した時刻データとに基づき算出された１日当たりの時刻補正値が格納される。第７記憶エリア２１７には、ＣＰＵ２０８が生成した時刻データに対応する地域のワールドタイムのタイムゾーンを示すデータが格納され、第８記憶エリア２１８には、ＣＰＵ２０８が生成した時刻データに対応する地域におけるサマータイムを示すデータ（サマータイム設定のＯＮ／ＯＦＦ情報）が格納される。
【００５１】
そして、第１記憶エリア２１１に格納されている時刻データに基づき、ＣＰＵ２０８がドライバ２３３を駆動することにより、図１７に示したように、ＬＣＤ２０４の下部側に現在時刻２０４ａが表示される。
【００５２】
図２０は、Ｉｒデータ送受信モジュール２３７によって受信される時刻データＴＤのフォーマットを示すものである。このデータフォーマットは、送受信地域の現在日時、及び現在時刻である「年」、「月」、「日」、「時」、「分」、「秒」、「１／１０００秒」、「サマータイム」「時差（標準時差）」の他に、「基準時計受信の有効／無効」及び「その基準時計の種類」が追加されている。「基準時計受信の有効／無効」とは、この時刻データＴＤを受信するに際しこの受信した時刻データの基準を有効にするか無効にするかを示す情報である。また、「その基準時計の種類」とは、送時刻データＴＤが、原子時計、ＧＰＳ、電波時計、年差時計、内蔵クロック、及びその他のいずれを基準としたものであるかを示す前記バイナリデータ（図１６参照）である。また、この図２０に示したフォーマットからなるデータは、赤外線通信により各地に設けられた送信基地局（赤外線データ通信用デバイス）あるいは他の腕時計２０１から送信されてくるものである。
【００５３】
次に、以上の構成にかかる本実施の形態において、図１６に例示したように、「内蔵クロック」のフラグＦに“１”がセットされている状態にあると、図１２及び図１７（ａ）に示したように、例えば時刻設定モードにセットされると、ＬＣＤ２０４には、「ＱＵＡＲＴＺ」の基準データ表示２０４ｂがなさるともに、内蔵クロックに基づく現在時刻２０４ａが表示される。
【００５４】
一方、ＣＰＵ２０８は、プログラムに基づき図２５の統合フローチャートに示す処理を実行する。すなわち、ＰＣ、ＰＤＡ、携帯電話、図示せず）等、赤外線通信機能を備えた電子機器より赤外線（無線）により時刻データＴＤを受信する処理を実行する（ステップＳ２１）。つまり、最寄りの基地局（赤外線データ通信装置）や他の腕時計２０１から時刻データＴＤが送信されてくると、Ｉｒデータ送受信モジュール２３７を動作させてこれを受信し、変復調回路２３６を動作させて復調させた後、ＵＡＲＴ２３４を動作させてデータを変換して取り込む。
引き続き、後述する受信（３）処理（ステップＳ２２）、受信（１）処理（ステップＳ２３）、受信（２）処理（ステップＳ２４）を順次実行する。
受信（３）処理（ステップＳ２２）においては、ＣＰＵ８は図２４（ａ）に示すフローチャートに従って動作し、前記受信した時刻データＴＤと第１記憶エリア１０１に格納されている自分の時刻データの差を算出し、この算出した時刻差を第３記憶エリア１０３に格納する（ステップＳＬ１）。
【００５５】
また、受信（１）処理においては、ＣＰＵ８は図２１に示すフローチャートに従って動作し、前記時刻差が３０秒以上であるか、３０秒未満であるかを判別する（ステップＳＪ１）。両者の差が３０秒以上であった場合には、本機（当該腕時計２０１）の方が進んでいるか、遅れているかを判断する（ステップＳＪ３）。そして、本機（当該腕時計２０１）の方が進んでいる場合には、ＬＣＤ２０４に“Ｇ”（ｇａｉｎ）の点灯表示を行い（ステップＳＪ４）、遅れている場合には、“Ｄ”（ｄｅｌａｙ）の点灯表示を行う（ステップＳＪ５）。したがって、この処理により、本機の方が遅れいている場合には図２２（ａ）に示したように、遅れていることを示す“Ｄ”が精度表示２０４ｃとして、ＬＣＤ２０４に表示される。
【００５６】
またこのとき、図示のように基準データ表示２０４ｂとＩｒ着信表示２０４ｄも同時に行う。この基準データ表示２０４ｂに際しては、前記ステップＳ２１で受信した時刻データＴＤ内の「その基準時計の種類」を示すバイナリデータに対応する表示内容データを、図１６に示した第１記憶エリア２１１から読み出して表示する。したがって、受信した時刻データＴＤ内の「その基準時計の種類」のバイナリデータが「電波時計」であったとすると、ＬＣＤ２０４は図１７（ａ）の状態から図２２（ａ）の状態に表示変化し、該ＬＣＤ２０４には「ＲＡＤＩＯ」からなる基準データ表示２０４ｂがなされることとなる。したがって、ユーザはこの基準データ表示２０４ｂを見ることにより、基準データの種類、ひいては基準データの精度を知ることができる。
【００５７】
これらステップＳＪ４又はステップＳＪ５の処理を行ったならば、受信した基準時計との差の生じた桁を点滅表示する（ステップＳＪ６）。つまり、時、分、秒のか桁のうち、基準時計との差が生じている数値を点滅表示させる。したがって、例えば秒の桁のみに基準時計との差が生じているとすると、図２２（ａ）に示したように、秒の桁２０４ｅである「３２」の数字が点滅表示される。
【００５８】
しかる後に、指示表示を行う（ステップＳＪ７）。この指示表示に際しては、図２２（ａ）に示すように、肯定指示表示２０４ｆと、否定指示表示２０４ｇとをＬＣＤ２０４に表示させる。これら、肯定指示表示２０４ｆと否定指示表示２０４ｇとは、各々矢印と「Ｙ」又は「Ｎ」の文字とで構成され、肯定指示表示２０４ｆの矢印は図１２に示したキー２０７ａを指し示し、否定指示表示２０４ｇの矢印はキー２０７ｂを指し示す。つまり、肯定指示表示２０４ｆは、第１記憶エリア２１１に記憶されている自分の時刻データに受信した時刻データを上書きするならばキー２０７ａを操作（セット操作）すべきことを示し、しないならばキー２０７ｂを操作すべきことを示す。
【００５９】
しかる後にキー２０７ａの操作を行うセット操作がなされたか否かを判別する（ステップＳＪ８）。キー２０７ａによるセット操作がなされた場合には、ステップＳＪ８の判断がＹＥＳとなり、第２記憶エリア２１２のフラグを変更して、今回の上書きに用いた時刻データの種別に対応するフラグに“１”をセットする。したがって、図２２に示した例の場合、上書きに用いた時刻データは「ＲＡＤＩＯ」に対応する「電波時計」であることから、該「電波時計」のフラグＦに“１”がセットされることとなる。次に、第１記憶エリア２１１に記憶されている自分の時刻データに受信した時刻データを上書きする（ステップＳＪ１１）。これにより、図２２（ｃ）に示したように、ＬＣＤ２０４に表示されている現在時刻２０４ａも修正されることとなる。
【００６０】
しかし、キー２０７ａが操作されることなく、キー２０７ｂの操作された場合には、ステップＳＪ８の判断がＮＯとなる。よって、上書きを行うことなくこのフローに従った処理を終了する。したがって、ユーザは基準データ表示２０４ｂを視認してから、セット操作を行うか否かを決定すればよく、ユーザの意思に反した上書きが未然に防止される。
【００６１】
他方、ステップＳＪ１での判別の結果、送られてきた時刻データと自分の時刻データとの差が３０秒未満であった場合には、送られてきた時刻データは精度が自分の時計より精度が悪いか否かを判別する（ステップＳＪ２）。すなわち、送られてきた時刻データＴＤには、当該時刻データＴＤが、原子時計、ＧＰＳ、電波時計、ＧＰＳ、年差時計、（送信元の）内蔵クロック、その他のいずれであるかを示す「その基準時計の種類」のバイナリデータが含まれており、第２記憶エリア２１２には自分の時計が使用している基準時計の種類が格納されている。さらに、図１４のテーブル２９１には、各基準時計に対応して精度を示すランクが格納されている。そこで、テーブル２９１から、時刻データＴＤの基準時計に対応するランクと、自分の時計が使用している基準時計のランクとを読み出し、両ランクを比較することによって、ステップＳＪ３の判別を行う。
【００６２】
このステップＳＪ２での判別の結果、送られてきた時刻データＴＤの精度が自分の時計の精度よりも悪い場合には、前述したステップＳＪ３〜ＳＪ８の処理を行う。しかし、これとは逆に、送られてきた時刻データＴＤの精度が自分の時計の精度よりも良い場合には、第２記憶エリア２１２のフラグＦを変更した後（ステップＳＪ９）、第１記憶エリア２１１に記憶されている自分の時刻データに受信した時刻データを上書きする（ステップＳＪ１０）。
【００６３】
したがって、この実施の形態においては、送られてきた時刻データＴＤと自分の時刻データとの差が３０秒未満であって、且つ、送られてきた時刻データＴＤの精度が自分の時計の精度よりも良い場合にのみ、自動的に第１記憶エリア２１１の時刻データが送られてきた時刻データに書き換えられる。
【００６４】
また、ＣＰＵ２０８は図２３に示すフローチャートに従って動作し、前記受信（２）処理（ステップＳ２４）を実行する。すなわち、前記受信された時刻データＴＤに含まれる、「サマータイム」及び「時差」のデータより、受信した時刻データＴＤの「年」、「月」、「日」、「時」、「分」、「秒」、「１／１０００秒」、を一度標準時刻（ＧＭＴ）に補正する。そして、この標準時刻を、第７記憶エリア２１７、及び第８記憶エリア２１８にそれぞれ格納されているデータに基づいた時刻データに変換し、第１記憶エリア２１１に格納されている時刻データをこの変換した時刻データに書き換える（ステップＳＫ１）。
【００６６】
そして、例えばキー２０７ｃに対する前記セット操作とは異なるＵＮＤＯ操作により、時刻セットＵＮＤＯが指示されると、ＣＰＵ２０８は図２４（ｂ）に示すフローチャートに従って動作し、第１記憶エリア２１１に格納されている自分の時刻データから、第３記憶エリア２１３に格納されている差の値を減じて、第１記憶エリア２１１に格納されている自分の時刻データを更新する（ステップＳＭ１）。したがって、前述のステップＳＪ１１での処理により、自分の時刻データが受信した時刻データに書き換えられた場合であっても、時刻セットＵＮＤＯ操作を行えば、任意に書き換え前の時刻データに戻すことができる。
【００７０】
また、ＣＰＵ２０８は前述した図２１のステップＳＪ１１で時刻データの上書きを行った場合には、図２６に示すフローチャートに従って動作し、時刻データＴＤの受信を行う（ステップＳＱ１）。しかる後に、第７記憶エリア２１７に格納されているワールドタイムのタイムゾーンを、受信した時刻データＴＤの時差に応じたタイムゾーンに変更し、ワールドタイム時刻をこの変更したタイムゾーンに合わせる（ステップＳＱ２）。さらに、第８記憶エリア２１８に格納されているワールドタイムのサマータイムを、受信した時刻データＴＤのサマータイムに変更し、ワールドタイム時刻をこの変更したサマータイムに合わせる（ステップＳＱ３）。したがって、受信した時刻データで第１記憶エリア２１１の上書きを行った場合には、ワールドタイムのタイムゾーンやワールドタイムのサマータイムも変更される。
【００７１】
また、ＣＰＵ２０８は図２７に示すフローチャートに従って動作し送信処理を実行する。すなわち、送信する前に参照している基準時計（原子時計、ＧＰＳ、電波時計、年差時計、内蔵クロック、その他）と時刻合わせを行い（ステップＳＲ１）、しかる後にこの時刻合わせを行った時刻データＴＤを送信する（ステップＳＲ２）。したがって、この時刻合わせを行った時刻データＴＤが、ＣＰＵ２０８、ＵＡＲＴ２３４、変復調回路２３６及びＩｒデータ送受信モジュール２３７を介して外部に送信されることとなる。
【００７２】
（第３の実施の形態）
図２８は、本発明の第３の形態におけるＣＰＵ２０８の処理手順を示すフローチャートである。すなわち、ＣＰＵ２０８は前述と同様に、時刻データを受信する処理を行って、他の腕時計２０１から送信された時刻データＴＤを受信する（ステップＳＳ１）。次に、送られてきた時刻データＴＤは精度が自分の時計より精度が悪いか否かを判別する（ステップＳＳ２）。この判別は、ステップＳＪ３で前述したように、テーブル２９１から、時刻データＴＤの基準時計に対応するランクと、自分の時計が使用している基準時計のランクとを読み出し、両ランクを比較することによって行う。
【００７３】
このステップＳＳ２での判別の結果、基準データのランクに従い、送られてきた時刻データＴＤの精度が自分の時計の精度よりも良い場合には、第１記憶エリア２１１に記憶されている自分の時刻データに受信した時刻データを上書きする（ステップＳＳ３）。しかし、これとは逆に、送られてきた時刻データＴＤの精度が自分の時計の精度よりも悪い場合には、上書きを行うことなく送信モードを形成して、第１記憶エリア２１１に記憶されている自分の時刻データを、他の腕時計２０１へ送信する。したがって、これを受信した他の腕時計２０１のＣＰＵ２０８が、図２１に示したフローチャートに従って動作することにより、他の腕時計２０１の精度が高められることとなる。
【００７４】
なお、上記各実施の携帯においては、腕時計１、及び２０１はＧＰＳモジュール１１、２３１を備えていることから、近くに赤外線通信機能を備えていない電子機器が無くても、計時基準をＧＰＳにセットすることにより、野外にいても時刻データの取得、及び計時基準の種類の変更が可能である。
【００７５】
このとき、当該腕時計を装着する者が室内にいるか、屋外にいるかに応じて、赤外線通信により時刻データを取得するか、ＧＰＳにより時刻データを取得するかを設定してもよい
【００７６】
なお、実施の形態においては本発明を腕時計に適用した場合を示したが、腕時計に限ることなく、ビデオデッキや電子手帳等の時計機能を具備した電子機器に適用し得ることは勿論である。
【００７７】
【発明の効果】
以上説明したように本発明によれば、計時手段により計時されている時刻情報と、この計時手段の計時基準の種類とを対応付けて記憶し、データを受信した際には、当該データの時計基準の種類の時計精度と、当該時計機能付電子機器（自機）に記憶されている時計基準の種類の時計精度を判定してから、この記憶内容を制御する。よって、不正確な時刻情報によって無用に自己の時刻情報が補正されて、時計精度が低下してしまう不都合を未然に防止することができる。
【００７８】
また、時計手段により計時された時刻情報を記憶する第１の記憶手段の記憶情報は、自機よりも精度が高い時刻情報のデータが受信された場合にのみ、上書きにより修正することから、不正確な時刻情報によって無用に自己の時刻情報が補正されて、時計精度が低下してしまう不都合を未然に防止することができる。
【００７９】
また、検出された時計基準の種類の時計精度が、前記第１の記憶手段に記憶されている時計基準の種類の時計精度より劣っていると判定された場合、第１の記憶手段に記憶されている時刻情報に上書きするか否かのを表示して、上書き指示を検出すると、記憶手段に記憶されている時刻情報に上書きするようにしたことから、記憶されている自己の時刻情報を受信したデータの時刻情報に書き換えるか否かを、ユーザの意思に委ねることができ、ユーザの意思に反した時刻情報の補正を回避することができる。
【００８０】
また、さらに時差情報を加味して、記憶されている自己の時刻情報を補正するようにしたことから、自己の時刻情報の精度を一層高めることができる。
【００８１】
また、上書きされる前の時刻情報と上書きされた後の時刻情報との差に基づいて、時刻情報の表示切替を行い得るようにしたことから、上書き前の時刻表示に復帰させることもできる。
【００８２】
また、データの受信を所定時間間隔で複数回行って、この複数回受信したデータに基づいて計時手段に含まれるクロックスピードを調整するようにしたことから、自機の計時動作自体をより正確なものにすることができる。
【００８３】
また、計時基準の種類と対応付けて表示すべき内容を記憶手段に記憶し、時刻情報と対応付けて記憶されている計時基準の種類を判別して、表示すべき内容を表示するようにしたことから、記憶手段から読み出す単純な制御により、時刻情報と対応付けて記憶されている計時基準の種類を表示させることができる。
また、腕に装着して好適な形状を模すことにより、携帯性を確保することができる。
【図面の簡単な説明】
【図１】  本発明の第１の実施の形態にかかる腕時計の外観図である。
【図２】  時計本体の回路構成を示すブロック図である。
【図３】  ＲＯＭ内のテーブルを示す模式図である。
【図４】  ＲＡＭの一部に設けられたメモリ構成を示す図である。
【図５】  時刻データのデータフォーマット図である。
【図６】  受信（１）の処理手順を示すフローチャートである。
【図７】  受信（２）の処理手順を示すフローチャートである。
【図８】  （ａ）は受信（３）の処理手順を示すフローチャート、（ｂ）は時刻セットＵＮＤＯの処理手順を示すフローチャートである。
【図９】  第１の実施の形態における統合フローチャートである。
【図１０】  受信（４）の処理手順を示すフローチャートである。
【図１１】  送信の処理手順を示すフローチャートである。
【図１２】  本発明の第２の実施の形態にかかる腕時計の外観図である。
【図１３】  時計本体の回路構成を示すブロック図である。
【図１４】  ＲＯＭ内のテーブルを示す模式図である。
【図１５】  ＲＡＭの一部に設けられたメモリ構成を示す図である。
【図１６】  第２記憶エリアの詳細を示すメモリ構成図である。
【図１７】  表示例を示す図である。
【図１８】  ＲＡＭの第３記憶エリアの詳細を示すメモリ構成図である。
【図１９】  ＲＡＭの第４及び第５記憶エリアの詳細を示すメモリ構成図である。
【図２０】  時刻データのデータフォーマット図である。
【図２１】  受信（１）の処理手順を示すフローチャートである。
【図２２】  受信（１）の処理に伴う表示遷移図である。
【図２３】  受信（２）の処理手順を示すフローチャートである。
【図２４】  （ａ）は受信（３）の処理手順を示すフローチャート、（ｂ）は時刻セットＵＮＤＯの処理手順を示すフローチャートである。
【図２５】  第２の実施の形態における統合フローチャートである。
【図２６】  受信（４）の処理手順を示すフローチャートである。
【図２７】  送信の処理手順を示すフローチャートである。
【図２８】  本発明の第３の実施の形態における受信の処理手順を示すフローチャートである。
【符号の説明】
１    腕時計
２    時計本体
４    ＬＣＤ
８    ＣＰＵ
１５    スイッチ
１７    Ｉｒデータ送受信モジュール
２０１    腕時計
２０２    時計本体
２０４    ＬＣＤ
２０８    ＣＰＵ
２３５    スイッチ
２３７    Ｉｒデータ送受信モジュール
【図１】
0003743819.tif 000002
【図２】
0003743819.tif 000003
【図３】
0003743819.tif 000004
【図４】
0003743819.tif 000005
【図５】
0003743819.tif 000006
【図６】
0003743819.tif 000007
【図７】
0003743819.tif 000008
【図８】
0003743819.tif 000009
【図９】
0003743819.tif 000010
【図１０】
0003743819.tif 000011
【図１１】
0003743819.tif 000012
【図１２】
0003743819.tif 000013
【図１３】
0003743819.tif 000014
【図１４】
0003743819.tif 000015
【図１５】
0003743819.tif 000016
【図１６】
0003743819.tif 000017
【図１７】
0003743819.tif 000018
【図１８】
0003743819.tif 000019
【図１９】
0003743819.tif 000020
【図２０】
0003743819.tif 000021
【図２１】
0003743819.tif 000022
【図２２】
0003743819.tif 000023
【図２３】
0003743819.tif 000024
【図２４】
0003743819.tif 000025
【図２５】
0003743819.tif 000026
【図２６】
0003743819.tif 000027
【図２７】
0003743819.tif 000028
【図２８】
0003743819.tif 000029